(57)【要約】      （修正有）【課題】洗面化粧台等の被梱包体の搬入時の住宅壁面等への傷付きを防止し得る緩衝手段を設けることで、梱包物の搬入作業の作業性を向上させることが可能な梱包装置を提供する。【解決手段】被梱包体の所定の面に被せられる梱包材３と、梱包材３を締結する結束材６とを備えた梱包装置１において、梱包材３は、その角部に梱包材３より緩衝効果に優れた緩衝手段が設けられる。緩衝手段は、梱包材３の内面と被梱包体間に介挿される緩衝材４であり、緩衝材４が梱包材３の角部に設けた開口１３から梱包材３外面に露出していてもよい。開口１３は、略舟形状の梱包形状から略平板形状の返却形状に形状変更可能な梱包材３の角部に設けられた円孔で形成されてもよい。【選択図】図２
2005132445.tif 000002
【特許請求の範囲】
【請求項１】
被梱包体の所定の面に被せられる梱包材と、該梱包材を締結する結束材とを備えた梱包装置において、
前記梱包材は、その角部に該梱包材より緩衝効果に優れた緩衝手段が設けられていることを特徴とする梱包装置。
【請求項２】
前記緩衝手段は、梱包材の内面と被梱包体間に介挿される緩衝材であり、該緩衝材が梱包材の角部に設けた開口から梱包材外面に露出していることを特徴とする請求項１に記載の梱包装置。
【請求項３】
前記開口は、略舟形状の梱包形状から略平板形状の返却形状に形状変更可能な梱包材の角部に設けられた円孔であることを特徴とする請求項２に記載の梱包装置。
【請求項４】
前記緩衝手段は、梱包材内面の所定方向角部の略全域に設けられるかもしくは梱包材内面の角部に部分的に設けられることを特徴とする請求項１ないし３のいずれかに記載の梱包装置。
【請求項５】
前記緩衝手段は、梱包材に一体化されていることを特徴とする請求項１ないし４のいずれかに記載の梱包装置。
【請求項６】
前記梱包材は、被梱包体の相対向する二つの面に被せられると共に、各面の角部に前記緩衝手段がそれぞれ設けられていることを特徴とする請求項１ないし５のいずれかに記載の梱包装置。
【発明の詳細な説明】
【技術分野】
【０００１】
本発明は、例えばキッチンや洗面化粧台等の被梱包体を梱包する梱包装置に係り、特に搬入時の住宅壁面等への傷付きを防止可能な梱包装置に関する。
【背景技術】
【０００２】
従来、洗面化粧台等を梱包する梱包装置としては、例えば特許文献１に開示されている。この梱包装置は、被梱包体に第１の有底包装部材を当接させ、当該第１の有底包装部材と相対向する位置に第２の有底包装部材を当接させ、第１の有底包装部材と第２の有底包装部材とを締結部材により締結すると共に、第１の有底包装部材の内部に緩衝材を介挿させるようにしたものである。
【特許文献１】特開２００１−３４１７９０号公報
【発明の開示】
【発明が解決しようとする課題】
【０００３】
しかしながら、この梱包装置においては、緩衝材が有底包装部材の内部に単に介挿されると共に、２つの有底包装部材の底壁部の四隅と垂直な外周壁部との間に角部がそれぞれ形成されているため、この有底包装部材で梱包された被梱包体（梱包物）を住宅内に搬入する際等に、４つの角部のいずれかが住宅壁面に接触して該壁面を傷付ける場合がある。この時、有底包装部材が段ボール紙で形成されている場合でも、その角部は尖ってかつ各辺の連結により比較的硬くなっており、この角部が例えば壁紙等を使用した住宅壁面に接触した場合等に、住宅壁面の壁紙を剥がしたり線状の傷が付いたり凹むことがあり、搬入時に作業者が細心の注意を払う必要がある等、梱包物の搬入時の作業性が劣るという問題点を有している。
【０００４】
本発明は、このような事情に鑑みてなされたもので、その目的は、搬入時の住宅壁面等への傷付きを防止し得る緩衝手段を梱包材の角部に設けることで、梱包物の搬入作業の作業性を向上させることが可能な梱包装置を提供することにある。
【課題を解決するための手段】
【０００５】
かかる目的を達成すべく、本発明のうち請求項１に記載の発明は、被梱包体の所定の面に被せられる梱包材と、該梱包材を締結する結束材とを備えた梱包装置において、前記梱包材は、その角部に該梱包材より緩衝効果に優れた緩衝手段が設けられていることを特徴とする。
【０００６】
そして、前記緩衝手段は、請求項２に記載の発明のように、梱包材の内面と被梱包体間に介挿される緩衝材であり、該緩衝材が梱包材の角部に設けた開口から梱包材外面に露出していることが好ましく、この場合、前記開口は、請求項３に記載の発明のように、略舟形状の梱包形状から略平板形状の返却形状に形状変更可能な梱包材の角部に設けられた円孔であることが好ましい。
【０００７】
また、前記緩衝手段は、請求項４に記載の発明のように、梱包材内面の所定方向角部の略全域に設けられるかもしくは梱包材内面の角部に部分的に設けられていることが好ましく、また、請求項５に記載の発明のように、梱包材に一体化されていることが好ましい。さらに、前記梱包材は、請求項６に記載の発明のように、被梱包体の相対向する二つの面に被せられると共に、各面の角部に前記緩衝手段がそれぞれ設けられていることが好ましい。
【発明の効果】
【０００８】
本発明の請求項１に記載の発明によれば、梱包材の角部に該梱包材より緩衝効果に優れた緩衝手段が設けられているため、梱包材の角部が住宅壁面等に接触した場合であっても、緩衝効果に優れた緩衝手段が住宅壁面等に接触することになって、角部による住宅壁面等への傷付きが防止され、梱包物の搬入作業を容易に行うことが可能となる。
【０００９】
また、請求項２に記載の発明によれば、請求項１に記載の発明の効果に加え、緩衝手段が梱包材内面と被梱包体間に介挿された緩衝材で、この緩衝材が梱包材の角部に設けた開口から梱包材外部に露出しているため、被梱包体を保護する緩衝材を緩衝手段として兼用できると共に、梱包体の角部に開口を設けるだけで緩衝材を角部に露出して設けることができ、緩衝手段の構成を簡略化することができる。
【００１０】
また、請求項３に記載の発明によれば、請求項２に記載の発明の効果に加え、開口が舟形状の梱包形状から平板形状の返却形状に形状変更可能な梱包材の角部に設けられた円孔であるため、梱包材を梱包形状から返却形状に形状変更する際に、梱包材の角部の開口部分が裂けることがなくなり、リターナブルな梱包材として長期に亘り安定使用することができる。
【００１１】
また、請求項４に記載の発明によれば、請求項１ないし３に記載の発明の効果に加え、緩衝手段が梱包材内面の所定方向角部の略全域に設けられるかもしくは梱包材内面の角部に部分的に設けられているため、角部の全域に設けることで被梱包体の保護を確実に行うことができ、また、角部に部分的に設けることで、緩衝手段の使用量が低減されて安価な梱包装置を得ることができる。
【００１２】
また、請求項５に記載の発明によれば、請求項１ないし４に記載の発明の効果に加え、緩衝手段が梱包材に一体化されているため、緩衝手段を梱包材の角部に確実に設けることができて、安定した梱包状態を容易に得ることができると共に、緩衝手段を梱包材と一緒に取り扱うことができて、例えば梱包作業や返却作業等の作業を効率的に行うことができる。
【００１３】
さらに、請求項６に記載の発明によれば、請求項１ないし５に記載の発明の効果に加え、梱包材が被梱包体の相対向する二つの面に被せられると共に、各面の角部に緩衝手段がそれぞれ設けられているため、被梱包体の例えば上下面の各角部に緩衝手段をそれぞれ設けることができて、搬入時の梱包物の向き等の形態に係わらず、住宅壁面等への傷付きを防止することができる。
【発明を実施するための最良の形態】
【００１４】
以下、本発明を実施するための最良の形態を図面に基づいて詳細に説明する。
図１〜図６は、本発明に係わる梱包装置の一実施形態を示し、図１が該梱包装置を使用したキッチンキャビネットの梱包状態の斜視図、図２がその分解斜視図、図３が梱包材の梱包形状の平面図、図４が梱包材の返却形状の平面図、図５が梱包材の角部を拡大した横断面図、図６が梱包材の組み立て方法の説明図である。
【００１５】
図１及び図２において、梱包装置１は、被梱包体としてのキッチンキャビネット２（以下、単にキャビネット２という）の相対向する二面である上面と下面に被せられる上下一対の梱包材３と、この梱包材３の内側でキャビネット２の上面と下面の左右幅方向両端部の角部位置に介挿される４本の緩衝材４と、キャビネット２の前面側の上下の梱包材３間に形成される開放面７に介挿される保護材５と、上下の梱包材３の外側で左右幅方向両端部を締結する一対の結束材６等で構成されている。
【００１６】
前記上下の梱包材３は同一形状に形成され、その材質としては段ボール等の紙類や樹脂類が使用され、予め設定された後述する折り曲げ線８ａ〜８ｃに沿って、舟形状の梱包形状と返却形状である展開形状（平板形状）に形状変更可能、すなわち展開・組み立て可能でリターナブル（返却、再使用）可能に構成されている。そして、図１及び図２に示す梱包形状において、梱包材３は、キャビネット２の上下面より僅かに大きな面積を有する長方形状の底壁部３ａと、この底壁部３ａの周囲に垂直状態で折り曲げ立設された長辺側の２つの外周壁部３ｂ及び短辺側の２つの外周壁部３ｃとで舟形状を呈するように構成されている。
【００１７】
また、この舟形状（梱包形状）における梱包材３は、図３に示すように、その四隅の角部において、長辺側の各外周壁部３ｂの端部と短辺側の各外周壁部３ｃの端部がマジックテープ（登録商標）等の一対の面状ファスナー９ａ、９ｂからなる係止手段９で係止されている。すなわち、梱包材３の外周壁部３ｂの端部の内面側に一方の面状ファスナー９ａが両面接着テープ等で固着されると共に、外周壁部３ｃの折り曲げ端部の外面側に他方の面状ファスナー９ｂが同様に固着されている。
【００１８】
そして、この折り曲げられた外周壁部３ｃの端部を、隣り合う外周壁部３ｂの内側に入れて両外周壁部３ｂ、３ｃの端部を面合わせさせることにより、各面状ファスナー９ａ、９ｂが係止されて、両外周壁部３ｂ、３ｃが組み立てられるようになっている。つまり、梱包材３の４枚の外周壁部３ｂ、３ｃは、隣り合う外周壁部３ｂ、３ｃの端部を面状ファスナー９で係止させることにより、外周壁部３ｂ、３ｃの高さ分の深さを有する舟形状に設定されることになる。
【００１９】
なお、２枚の外周壁部３ｂ、３ｃの端部を係止させる係止手段９としては、面状ファスナー９ａ、９ｂの使用に限らず、例えば図３の三点鎖線ａで示すように、係止部１０ａを有する係止釦１０を使用しても良い。この場合は、係止釦１０が貫通し得る係止孔１２を梱包材３の各外周壁部３ｂ、３ｃに穿設し、この係止孔１２の一方から他方側に向けて係止釦１０をその弾性変形を利用して押し込み、係止釦１０の係止部１０ａを係止孔１２の端縁に係止させることで隣り合う両外周壁部３ｂ、３ｃの端部が係止される。また、他の係止手段９としては、例えば一方の外周壁部３ｂ、３ｃに係止フックを取り付け、この係止フックを他方の外周壁部３ｃ、３ｂの係止孔や適宜の係止部に係止させるようにする等、隣り合う外周壁部３ｂ、３ｃを着脱可能に係止し得る適宜の係止手段９を採用することができる。
【００２０】
また、前記梱包材３は、舟形状において四隅の角部に緩衝材４を外部に露出させて住宅壁面等への傷付き防止を図る開口１３が設けられている。すなわち、図４に示すように、展開形状の梱包材３の角部である各折り曲げ線８ａ〜８ｃの交点部分に円の中心２５が位置するように円孔１３ａが穿設され、この円孔１３ａにより、外周壁部３ｂ、３ｃを折り曲げて垂直に組み立てた際に、梱包材３の四隅の角部に開口１３が形成されるようになっている。
【００２１】
この時、円孔１３ａからなる開口１３により、外周壁部３ｂ、３ｃを折り曲げる際の負荷が円の円周上に均等に加わる状態となって、開口１３部分の裂けが防止されるようになっている。なお、開口１３の形状としては、裂け防止の点から円孔１３ａが最も好ましいが、裂け難い材質等の梱包材３の場合は、四角形や八角形等の多角形状の開口１３を使用することも勿論可能である。なお、梱包材３の前記折り曲げ線８ａ〜８ｃは、例えば段ボールの折り曲げ方向側の面に直線状（もしくは所定間隔毎）に配置した凹部や肉薄部等によって形成されており、所定方向への曲げ癖が付与されて繰り返し折り曲げが可能となっている。
【００２２】
そして、このように梱包材３に開口１３を形成することで、梱包状態において、図１及び図５に示すように、上下の各梱包材３の四隅の角部の開口１３から、内部に介挿されている緩衝材４の角部４ａが外部に露出するようになっている。この梱包材３の開口１３から露出した該梱包材３より柔軟な緩衝材４の緩衝作用により、梱包装置１で梱包された被梱包体（梱包物）を住宅内に搬入する際等に、梱包物の角部が図５に示す住宅壁面２０に当接した場合であっても該住宅壁面２０への傷付きが防止されることになる。
【００２３】
さらに、前記梱包材には、図３及び図４に示すように、係止手段９で係止されることで２枚の外周壁部３ｂ、３ｃが重なった二重壁部分に、開口形状の取っ手１１（図４参照）がそれぞれ設けられると共に、底壁部３ａの外面の左右幅方向両端部には、滑り部材１４が着脱可能に設けられている。なお、前記取っ手１１は、図４に示すように、長辺側の外周壁部３ｂの両端部に設けられ、梱包材３の返却形状である展開形状において、四隅に設けられた切り込み８ｄに対して両側対象位置に穿設された略楕円形状の一対の開口１１ａで形成されている。そして、この一対の開口１１ａは、隣り合う外周壁部３ｂ、３ｃを折り曲げた際に内外において連通するようになっており、一対の開口１１ａのうち、例えば外側となる外周壁部３ｂの開口１１ａの縁部には、手による持ち易さの向上や手の傷付き防止及び開口縁部の補強を兼ねる樹脂カバー等の取っ手カバー１１ｂが着脱可能（もしくは固定的）に設けられている。
【００２４】
また、前記滑り部材１４は、その表面が潤滑性を有するシート状部材や硬質合成樹脂板等が使用され、図３及び図４に示すように、梱包材３の底壁部３ａの外面で左右幅方向両端部の折り曲げ線８ｂの内側に、前記面状ファスナーや係止釦等と同様の図示しない係止手段によって着脱可能に取り付けられている。この滑り部材１４により、梱包物を横持ちする際に移動がし易くなると共に、梱包材３の底壁部３ａ自体の剛性アップが図れることになる。
【００２５】
前記緩衝材４は、例えば発泡スチロールや発泡ポリエチレン、軟質ゴム等の樹脂材料によって例えば断面Ｌ字形状に形成され、その長さは、梱包材３の短辺側の外周壁部３ｃの長さより若干短く設定されて、梱包時に、舟形状の梱包材３の左右幅方向両端部の角部内の略全域に嵌挿されるようになっている。また、前記保護材５は、所定板厚で所定の剛性を有する樹脂板や段ボール板等が使用され、図２に示すように、その左右幅方向の両端部が折り曲げ線５ａに沿って折り曲げ可能に形成されている。
【００２６】
また、前記結束材６は、所定長さの布製バンドが使用され、長さ方向の所定位置が下方の梱包材３の底壁部３ａの外面に縫い付け、接着、針止め等の適宜の固着手段によって、外れない程度に軽く固定されている。そして、各結束材６の一方の端部に係止具１５（図２参照）がそれぞれ取り付けられており、この係止具１５に結束材６の他方の端部を挿通して係止させることにより、一対の結束材６で上下の梱包材３が所定の力で締結（結束）されるようになっている。この結束材６としては、布製バンドの使用に限らず、例えばＰＰバンド、ビニール紐、ゴム紐等を使用することもできる。
【００２７】
なお、図１及び図２に示すように、前記梱包装置１を形成する上下の梱包材３、緩衝材４及び保護材５には、例えばセット管理可能な識別手段としてのラベル１６（もしくは情報タグ）が貼付（付与）され、キャビネット２の背面には品番ラベル１７が、また、上部の梱包材３の外周壁部３ｂの表面には宛先ラベル１８が貼付されている。
【００２８】
次に、このように構成された梱包装置１を使用したキャビネット２の梱包方法及び梱包装置１の返却方法の一例について説明する。先ず、梱包装置１を使用してキャビネット２を梱包する場合は、上下の梱包材３と４本の緩衝材４及び１枚の保護材５を準備し、上下の梱包材３を舟形状にそれぞれ組み立てる。
【００２９】
この各梱包材３の組み立ては、図６（ａ）に示す返却形状である平板状の展開形状から、左右の短辺側の折り曲げ線８ｂに沿って、外周壁部３ｃの中央部を矢印ロ方向に折り曲げると共に、外周壁部３ｃの端部を折り曲げ線８ｃに沿って矢印ハの如く折り曲げて、図６（ｂ）に示す状態とする。この時、外周壁部３ｃの折り曲げは、折り曲げ線８ｂ、８ｃによって折り曲げ位置が特定されると共に、折り曲げ線８ｂ、８ｃを形成する凹部等によってその折り曲げ方向に曲げ癖が付与されていることから、スムーズに行えることになる。この点は、外周壁部３ｂの折り曲げ線８ａについても同様である。
【００３０】
短辺側の外周壁部３ｃを折り曲げたら、次に図６（ｂ）の矢印ニの如く長辺側の外周壁部３ｂを折り曲げ線８ａに沿って折り曲げて、その端部に設けた面状ファスナー９ａを折り曲げられている短辺側の外周壁部３ｃ端部の面状ファスナー９ｂに係止させる。これにより、図６（ｃ）に示すように、梱包材３が展開形状から各外周壁部３ｂ、３ｃが底壁部３ａに対して垂直状態となった舟形状（梱包形状）に形状変更されることになり、同様の手順で下部の梱包材３も組み立てて舟形状に設定する。なお、この下部の梱包材３の底壁部３ａの外面には一対の結束材６が固定された状態となっている。
【００３１】
上下の梱包材３を舟形状に設定したら、先ず、下部の梱包材３を、その結束材６の各先端が前後幅方向に突出するセット状態として、その内部の左右幅方向端部に一対の緩衝材４をそれぞれ嵌挿する。そして、この梱包材３内の緩衝材４上にキャビネット２の底面部を載置すると共に、キャビネット２の前面側に保護材５が位置するようにその下端部を下部の梱包材３の内側に嵌挿する。
【００３２】
この状態で、キャビネット２の上面の左右幅方向端部の角部に緩衝材４をそれぞれ載置し、この緩衝材４上に上部の梱包材３を下部の梱包材３と逆方向に設定して被せる。この時、保護材５の上端部は上部の梱包材３の内側に位置した状態とされ、これにより、キャビネット２の外面側に上下の梱包材３が緩衝材４を介して配置されると共に、上下の梱包材３間に保護材５が介挿される。そして、この状態で、結束材６の両端部を引っ張り、結束材６の一方の端部に固定した係止具１５に結束材６の他方の端部を挿通して引っ張りつつ係止させて、一対の結束材６をそれぞれ所定の張力で締結させる。
【００３３】
この一対の結束材６の締結により、梱包装置１によるキャビネット２の梱包作業が完了する。このキャビネット２の梱包装置１による梱包状態において、上下の梱包材３の角部に設けた開口１３から内部の緩衝材４の角部４ａが外部（梱包材３の外面）に露出しており、各梱包材３の底壁部３ａ外面には、滑り部材１４が取り付けられている。また、梱包装置１やキャビネット２には、前記ラベル１６や品番ラベル１７及び宛先ラベル１８が貼付されると共に、ラベル１６等の情報が管理された状態で、キャビネット２の製造工場から、倉庫等の物流拠点を経て新築家屋等のキッチンを設置する施工現場に出荷される。
【００３４】
この梱包物の製造工場から施工現場への物流経路において、前記滑り部材１４によって梱包物の横持ち等がスムーズに行えると共に、梱包材３のスレによる破損防止が図れたり、梱包材３の開口１３に露出した緩衝材４の角部４ａによって、新築住宅に搬入する際の住宅壁面２０への傷付き等が防止されることになる。また、梱包物の横持ちや縦持ちの際に、各梱包材３に設けた取っ手１１を使用して作業ができ、この時、二重壁構造の取っ手１１に所定の強度が確保されていることから、安定した作業が行えることになる。
【００３５】
そして、施工現場に搬入された梱包物は、結束材６を弛めて外すことにより、上下の梱包材３や緩衝材４及び保護材５が別体となり、これらの各部材が例えばセットとして返却されることになる。この返却は、先ず、舟形状の上下の梱包材３を、図６（ａ）〜（ｃ）に示す手順と逆の手順により、舟形状から外周壁部３ｂ、３ｃの面状ファスナー９ａ、９ｂによる係止を外すことで平板状の展開形状とする。そして、この展開形状にした下部の梱包材３上に、平板状にした保護材５及び４本の緩衝材４を載置すると共に、この緩衝材４上に上部の梱包材３を載置して積層状態とし、この積層状態において下部の梱包材３に固定されている結束材６で軽く結束する。
【００３６】
これにより、梱包装置１の各部材３〜６が返却形状（返却形態）に設定され、これが工場等に返却される。この時、結束材６で結束された梱包装置１は、梱包材３や保護材５が平板状であることから、その積層により結束高さを大幅に低くして嵩張りを防止できると共に、梱包装置１の結束に下部の梱包材３に軽く固定されている結束材６をそのまま使用できることから、結束材６が紛失すること等がなくなり、結束作業や工場への返却作業（運搬作業）等がスムーズに行えることになる。
【００３７】
そして、工場に返却された梱包装置１は、上下の梱包材３を再び組み立てることで再使用することが可能となり、また、保護材５や緩衝材４は略そのままの状態で再使用できることになる。つまり、梱包に使用した梱包装置１のほとんど全ての部材が、加工等を加えることなくそのままの状態で再使用できる、すなわち梱包装置１がリターナブルに使用されることになる。
【００３８】
このように、上記実施形態の梱包装置１にあっては、梱包材３の開口１３から緩衝材４の角部４ａが外部に露出するように形成されているため、開口１３から露出する緩衝材４で、例えば梱包物の搬入時にその角部となる緩衝材４の角部４ａが住宅壁面２０や運搬車の各種壁面あるいは隣接する他の梱包物等に接触しても、角部４ａの変形等により住宅壁面２０等に所定値以上の接触力を加えることがなくなり、住宅壁面２０等の傷付きや破損を防止することができる。特に、梱包物の上下面の８カ所の角部となる上下の梱包材３の四隅の各角部に緩衝材４がそれぞれ露出していることから、梱包物の搬入時の向き等に係わらず住宅壁面２０等への傷付き等を防止できて、梱包物の例えば新築住宅等の施工現場への搬入作業を簡単かつスムーズに行うことが可能となる。
【００３９】
また、梱包材３の角部に開口１３を設け、梱包形状である舟形状の内部に緩衝材４を嵌挿位置させることにより、開口１３から緩衝材４の角部４ａが自動的に露出する状態となるため、緩衝材４と梱包材３相互の位置決めに格別な作業が不要となり、簡易な構成により梱包材３の各角部に緩衝材４の角部４ａを確実に露出させることができる。さらに、梱包材３の角部に設けられる開口１３が円孔１３ａであるため、外周壁部３ｂ、３ｃの折り曲げ時の開口１３部分からの裂けを防止できて、緩衝材４の安定した露出状態を得ることができ、例えばリターナブルな梱包装置１に適用することで、梱包材３の再使用可能な回数を増やし長期に亘る安定使用が可能となる。
【００４０】
また、上記実施形態のように、梱包装置１の梱包材３を展開・組み立て可能なリターナブル形状に形成することにより、次のような作用効果が得られる。すなわち、キャビネット２の上下面に被られる展開・組み立て可能な上下の梱包材３が、梱包形状としての舟形状と返却形状である展開形状に形状変更可能であるため、舟形状で現場に搬入した後に、返却に適した展開形状に形状変更することができ、特に、平板状（展開形状）の返却形状への設定により、梱包材３が現場で簡単に回収できると共に、製造工場への運搬時にその嵩張り等を防止できる。
【００４１】
また、梱包材３の各折り曲げ線８ａ〜８ｃの折り曲げ癖等により、各外周壁部３ｂ、３ｃの折り曲げ自体が簡単に行えて、舟形状から展開形状あるいは展開形状から舟形状に素早く形状変更できると共に、各外周壁部３ｂ、３ｃの端部が係止手段９としての面状ファスナー９ａ、９ｂにより、各外周壁部３ｂ、３ｃのワンタッチ着脱が可能となって、簡易な構成で確実な係止状態が容易に得られる。
【００４２】
さらに、下方の梱包材３の底壁部３ａ外面に固定された結束材６により、梱包物の梱包時や返却時に結束材６の紛失等が防止されると共に、施工現場での返却時にも結束材６を使用することができ、これらのことから、梱包装置１を構成する梱包材３の梱包（組み立て）作業の効率化や返却（展開）作業の効率化が図れると共に、梱包材３や緩衝材４及び保護材５等の各部材を略そのままの状態で再使用できて、リターナブル性に優れた梱包装置１を得ることが可能となる。
【００４３】
また、舟形状の上下の梱包材３により、キャビネット２の上面と下面を確実に覆うことができると共に、一対の梱包材３間の開放面７に介挿される保護材５により、意匠的に重要なキャビネット２の前面を確実に保護できて、キャビネット２の良好な梱包状態を容易に得ることが可能になると共に、梱包材３の底壁部３ａに設けた滑り部材１４により、梱包物を容易に移動できて底壁部３ａのスレによる破損が防止されたり底壁部３ａ自体の剛性アップが図れ、運搬時の梱包材３（すなわち梱包物）の破損等を確実に防止することができる。
【００４４】
図７及び図８と図９は、本発明に係わる梱包装置のそれぞれ他の実施形態を示している。以下、上記実施形態と同一部位には同一符号を付して説明する。先ず、図７及び図８に示す実施形態の梱包装置の特徴は、各梱包材３に緩衝材４を予め一体化した点にある。すなわち、図７に示す各梱包材３の展開形状において、その左右幅方向両端部の折り曲げ線８ｂの内側に断面Ｌ字形状の緩衝材４の一方の外面を接着材等で固定して一体化する。この時、緩衝材４は、図８に示すように、その両端の角部４ａが各開口１３の円孔１３ａの略中心に位置するようにして梱包材３の底壁部３ａの内面に固着される。
【００４５】
そして、この緩衝材４が一体化された梱包材３の各外周壁部３ｂ、３ｃを折り曲げて係止させることにより、梱包材３が舟形状に組み立てられ開口１３から緩衝材４の角部４ａが露出した状態でキャビネット２の梱包に使用される。この実施形態の場合、梱包材３を展開形状に設定した際に、緩衝材４の垂直部が上方に突出することから、この垂直部の高さをできるだけ低く設定することが好ましい。また、梱包材３に一体化される緩衝材４の形状は、梱包材３の前後幅方向の角部の略全域に亘る形状に限らず、例えば図７の二点鎖線で示すように、角部の各開口１３部分のみに部分的に設ける（各梱包材３に４個の緩衝材４を設ける）形状であっても良いし、緩衝材４も各外周壁部３ｂ、３ｃに対応させて折り曲げ可能に構成しても良い。
【００４６】
この実施形態の梱包装置１においても、緩衝材４の角部４ａが梱包材３の角部外面に露出して、上記実施形態と略同様の作用効果が得られる他に、緩衝材４が予め各梱包材３に一体化されていることから、緩衝材４と梱包材３の位置決め作業が不要となり、緩衝材４の角部４ａを開口１３内に正確に位置させて角部４ａを外部に確実に露出させることができる。その結果、緩衝材４による梱包材３の角部の緩衝効果を安定して得ることができると共に、梱包作業や返却作業等の作業自体が容易に行えたり、緩衝材４の紛失等がなくなって、梱包装置１の各部材管理が一層容易に行える等の作用効果が得られる。
【００４７】
また、図９に示す実施形態の梱包装置の特徴は、緩衝材４の角部４ａに梱包材３の各角部の開口１３が嵌り込む段部２１を設けた点にある。すなわち、緩衝材４の角部４ａ部分に凹んだ形状の段部２１をそれぞれ設け、梱包材３の隣り合う外周壁部３ｂ、３ｃを組み立てた際に、緩衝材４の角部４ａの段部２１を梱包材３の開口１３縁部に嵌り込ませる。この時、段部２１の高さを外周壁部３ｂ、３ｃの板厚と略同一に（もしくは高く）設定することにより、緩衝材４の角部４ａの外面が外周壁部３ｂ、３ｃの外面と略面一（もしくは突出した）状態に設定される。
【００４８】
この実施形態においても、緩衝材４の角部４ａで住宅壁面２０等への傷付き防止が図れ、上記実施形態と略同様の作用効果が得られる他に、緩衝材４の角部４ａを梱包材３の各角部の開口１３から確実に露出（位置）させることができて、梱包材３の各角部に安定した緩衝効果が得られることになる。このように、本発明に係わる緩衝材４の全体形状や角部４ａの形状は、例えば、図９の二点鎖線で示すように、緩衝材４の角部４ａをアール形状に形成したり、図７に示す緩衝材４の構成と図９に示す緩衝材４の構成を組み合わせたり、あるいは、緩衝材４として梱包材３の角部に開口１３を設けることなく角部の外側に、該角部を覆うように適宜形状の緩衝材を固着したりもしくは着脱可能に取り付ける等、梱包材３の角部に所定の緩衝効果が得られる適宜の構成を採用することができる。
【００４９】
なお、上記実施形態においては、梱包装置１の梱包材３が展開・組み立て可能なリターナブルである場合について説明したが、本発明に係わる梱包材としては、展開不可能な舟形状や箱形状あるいは展開可能な箱形状の梱包材にも適用することができ、梱包材３の形状や緩衝材４の形状及びその個数等は、被梱包体の形状等の形態に応じ、本発明に係わる各発明の要旨を逸脱しない範囲において適宜に変更することができる。
【産業上の利用可能性】
【００５０】
本発明は、被梱包体としてシステムキッチンのキャビネットに限らず、例えば洗面化粧台のキャビネットや玄関収納のキャビネット等にも適用できるし、キャビネット以外の梱包を必要とする各種の被梱包体に適用できる。
【図面の簡単な説明】
【００５１】
【図１】本発明に係わる梱包装置によるキッチンキャビネットの梱包状態の斜視図
【図２】同その分解斜視図
【図３】同梱包材の梱包形状の平面図
【図４】同梱包材の返却形状の平面図
【図５】同梱包材の角部を拡大した横断面図
【図６】同梱包材の組み立て方法の説明図
【図７】本発明に係わる梱包装置の他の実施形態を示す梱包材の返却形状の斜視図
【図８】同その角部を拡大した横断面図
【図９】本発明に係わる梱包装置のさらに他の実施形態を示す図５と同様の横断面図
【符号の説明】
【００５２】
１・・・梱包装置、２・・・キャビネット、３・・・梱包材、３ａ・・・底壁部、３ｂ、３ｃ・・・外周壁部、４・・・緩衝材、４ａ・・・角部、５・・・保護材、５ａ・・・折り曲げ線、６・・・結束材、７・・・開放面、８ａ〜８ｃ・・・折り曲げ線、８ｄ・・・切り込み、９・・・係止手段、１０・・・係止釦、１０ａ・・・係止部、１１・・・取っ手、１３・・・開口、１３ａ・・・円孔、１４・・・滑り部材、１５・・・係止具、１６・・・ラベル、１７・・・品番ラベル、１８・・・宛先ラベル、２０・・・住宅壁面、２１・・段部
【図１】
2005132445.tif 000003
【図２】
2005132445.tif 000004
【図３】
2005132445.tif 000005
【図４】
2005132445.tif 000006
【図５】
2005132445.tif 000007
【図６】
2005132445.tif 000008
【図７】
2005132445.tif 000009
【図８】
2005132445.tif 000010
【図９】
2005132445.tif 000011